(57)【要約】　　　（修正有）【課題】レイヤード変調信号デジタル的に復号するシステムの提供。【解決手段】デジタル信号に関するレイヤード変調を受信するシステムおよび方法が提示される。例示的な装置は、レイヤード信号を受信してレイヤード同相信号とレイヤード直角位相信号とをこれより生成する同調器（５００）と、レイヤード同相信号とレイヤード直角位相信号とをデジタル化するアナログデジタル変換器（５０４）と、レイヤード同相信号とレイヤード直角位相信号とを復号して１つ以上の別個のレイヤ信号を生成するプロセッサ（５０６）とを具備する。【選択図】　　図９
2004040761.tif 000002
【特許請求の範囲】
【請求項１】
レイヤード信号を受信し、レイヤード同相信号とレイヤード直角位相信号とをこれより生成する同調器（５００）と、
レイヤード同相信号とレイヤード直角位相信号とをデジタル化するアナログ−デジタル変換器（５０４）と、
レイヤード同相信号とレイヤード直角位相信号とを復号して１つ以上の別個のレイヤ信号を生成するプロセッサ（５０６）とを具備する非コヒーレントレイヤード変調信号を受信する装置。
【請求項２】
プロセッサ（５０６）は、レイヤード同相信号およびレイヤード直角位相信号を復調して、これらの信号から上側レイヤ信号を復号し、前記１つ以上の別個のレイヤ信号のうち上側の信号を生成する請求項１記載の装置。
【請求項３】
プロセッサ（５０６）は、復号された上側レイヤ信号から、理想的な同相上側レイヤ信号と理想的な直角位相上側レイヤ信号とを含む理想的な上側レイヤ信号を生成し、レイヤード同相信号とレイヤード直角位相信号からそれぞれ理想的な同相上側レイヤ信号と理想的な直角位相上側レイヤ信号とを減算して、前記１つ以上の別個のレイヤ信号のうち下側の信号の下側レイヤ同相信号と下側レイヤ直角位相信号とを生成する請求項２記載の装置。
【請求項４】
レイヤード同相信号およびレイヤード直角位相信号を遅延させて、前記減算を同期させる請求項３記載の装置。
【請求項５】
レイヤード同相信号およびレイヤード直角位相信号を遅延させることは、理想的な同相上側レイヤ信号および理想的な直角位相上側レイヤ信号と相関させることにより行われる請求項４記載の装置。
【請求項６】
レイヤード信号を受信し、レイヤード同相信号とレイヤード直角位相信号とをこれより生成し（６００）、
レイヤード同相信号とレイヤード直角位相信号とをデジタル化し（６０２）、デジタル化されたレイヤード同相信号とレイヤード直角位相信号とを復号して、１つ以上の別個のレイヤ信号を生成するステップ（６０４）を含む非コヒーレントレイヤード変調信号を復号する方法。
【請求項７】
復号するステップ（６０４）は、レイヤード同相信号およびレイヤード直角位相信号を復調して、これらの信号から上側レイヤ信号を復号し、前記１つ以上の別個のレイヤ信号のうち上側の信号を生成することを含む請求項６記載の方法。
【請求項８】
復号するステップ（６０４）は、復号された上側レイヤ信号から、理想的な同相上側レイヤ信号と理想的な直角位相上側レイヤ信号とを含む理想的な上側レイヤ信号を生成し、レイヤード同相信号とレイヤード直角位相信号からそれぞれ理想的な同相上側レイヤ信号と理想的な直角位相上側レイヤ信号とを減算して、前記１つ以上の別個のレイヤ信号のうち下側の信号の下側レイヤ同相信号と下側レイヤ直角位相信号とを生成することを含む請求項７記載の方法。
【請求項９】
復号するステップ（６０４）は、レイヤード同相信号およびレイヤード直角位相信号を遅延させて、前記減算を同期させることをさらに含む請求項８記載の方法。
【請求項１０】
遅延させることは、レイヤード同相信号およびレイヤード直角位相信号を理想的な同相上側レイヤ信号および理想的な直角位相上側レイヤ信号に相関させることを含む請求項９記載の方法。
【発明の詳細な説明】
【０００１】
【発明の属する技術分野】
関連出願のクロスリファレンス
本一部継続出願は、米国特許法第１２０条に基づき、以下の、ともに留保中であり、かつ共通して譲渡された米国実用特許出願の優先権を主張する。この米国実用特許出願は参照によりここに取り込まれる。
【０００２】
アーネストＣ．チェンによる、“デジタル信号に対するレイヤード変調”と題され、−−−−−−に出願された、実用出願シリアル番号−−／−−−，−−−号。代理人整理番号ＰＤ２００１８１（１０９．００５１−ＵＳ−０１）。
【０００３】
この出願は、以下の、ともに留保中であり、かつ譲渡して指定された米国特許出願に関連する。この米国特許は参照によりここに取り込まれる。
【０００４】
アーネストＣ．チェン他による、“従来的な受信機を用いるためのレイヤード変調デジタル信号システムにおける信号レイヤの前処理”と題され、本願と同日に出願された、出願シリアル番号−−／−−−，−−−号。代理人整理番号ＰＤ−２０１１４８（１０９．００６４−ＵＳ−０１）。
【０００５】
本発明は、一般的にデジタル信号を受信するシステムに関し、特に、レイヤード変調をデジタル信号で受信するシステムに関する。
【０００６】
【従来の技術】
さまざまなデジタル信号通信システムおよびサービスが発展するにつれ、データスループットの増加およびサービスの追加への要求が急速に高まっている。しかしながら、送信機や受信機のような既存の従来的なハードウェアを取り替える必要があるとしたら、旧システムの改良や新しいサービスを実現することはより困難である。新しいシステムおよびサービスは、これらの出現が従来型のハードウェアを型落ちのものとしない場合に利点がある。ワイヤレス通信の分野においては、電磁スペクトルの限られた利用可能性によりこの原則がさらに強調される。したがって、拡張されたあるいは付加的なデータを単に新しい周波数で送信することは不可能である（あるいは少なくとも実用的ではない）。
【０００７】
スペクトル容量を増加させる従来的な方法は、４相位相変調（ＱＰＳＫ）から８相位相変調（８ＰＳＫ）へ、あるいは１６直角位相振幅変調（１６ＱＡＭ）へというように、より高次の変調に移行することである。残念ながら、ＱＰＳＫ受信機は、８ＰＳＫ信号や１６ＱＡＭ信号を復調することができない。結果として、ＱＰＳＫ受信機を持つ従来的なカスタマは、８ＰＳＫや１６ＱＡＭ変調により送信された任意の信号を引き続き受信するためには、自身の受信機をアップグレードしなければならない。
【０００８】
レイヤード変調は、信号送信システムおよび方法が追加的な周波数帯域を要求することなく、向上され増加したデータスループットに対応できるようにする。レイヤード変調を利用するシステムは、新しい受信機に対して向上され増加したスループット信号を提供する一方で、従来型受信機との互換性を保つことができる。（“デジタル信号に対するレイヤード変調”と題され、ＸＸＸＸＸに出願された、米国特許出願番号第ＸＸＸＸＸ号に詳しく説明されているような）より新しいレイヤード変調技術もまた、従来型送信機とは別の発信元からの送信信号をアップグレードできるという固有の利点を提供する。言い換えれば、レイヤード信号は非同期かつ／あるいは非コヒーレントであることができる。
【０００９】
例えば、米国特許第４，０３９，９６１号で見出される受信機システムのようなレイヤード信号に対する関連受信機システムも説明されており、参照によりここに組み込まれる。しかしながら、このような受信機システムはアナログ回路に基づいており、電圧制御発振器により同期されている。さらに、このような受信機システムには限界がある。なぜなら、これらはコヒーレントなレイヤード信号、すなわち同期的に生成された信号を受信するだけのために設計されているからである。
【００１０】
さらに、追加的な信号処理は一般に不要な雑音をもたらすため、受信信号に対して実行される処理量を最小にすることもまた重要である。複数のレイヤの高速復号化に対応した単一のプロセッサは、付随的な雑音を最小にする。レイヤード信号を復調して別の信号レイヤに復号することのできるプロセッサは、別々のダウンストリームトランスポート（ＭＰＥＧ復号器など）がより低雑音の信号を直接受信できるようにする。
【００１１】
【発明が解決しようとする課題】
レイヤード変調信号を受信して処理するシステムおよび方法に対する必要性がある。レイヤード信号をデジタル的に復号するシステムおよび方法に対する必要性もある。さらに、レイヤード信号の個別の信号を復号する単一の一体型プロセッサに対する必要性もある。本発明はこれらの必要性を満足させる。
【００１２】
【課題を解決するための手段】
本発明は、フレキシブルかつ拡張可能な装置を提供する。この装置は、復調機能を実行し、リアルタイムで受信レイヤード変調信号を処理することができる高速論理回路によって実現可能である。本発明は、到来信号の高速デジタル化を利用して、それをより高速なデジタル処理用に準備する。デジタル処理は、レイヤード信号の個別のレイヤを復調して復号を行う。本発明は、単一の復号器が到来レイヤード信号を処理する受信システム構造において、信号をさらに復号するために個別のレイヤ信号を生成できるようにして、これにより信号の雑音およびコストを最小にする。このプロセッサは、各復号信号レイヤ用の別々のトランスポートをさらに具備する単一の一体型受信／復号器（ＩＲＤ）に含まれていてもよい。
【００１３】
例示的な装置は、レイヤード信号を受信し、レイヤード同相信号とレイヤード直角位相信号とをこれより生成する同調器と、レイヤード同相信号とレイヤード直角位相信号とをデジタル化するアナログ−デジタル変換器と、レイヤード同相信号とレイヤード直角位相信号とを復号して１つ以上の個別のレイヤ信号を生成するプロセッサとを具備する。
【００１４】
１つの実施形態において、本発明は、ＭＰＥＧ復号器のような１つ以上のトランスポートを具備し、それぞれは、１つ以上の個別のレイヤ信号のうちの１つを受信かつ復号して、表示されるようにする。
【００１５】
高速デジタルプロセッサは、信号レイヤを復号する際に多くの機能を実行する。プロセッサは、レイヤード同相信号およびレイヤード直角位相信号を復調して、これらの信号から上側レイヤを復号し、ビデオトランスポート用の上側レイヤ信号を生成する。プロセッサはさらに、理想的な同相上側レイヤ信号および理想的な直角位相上側レイヤ信号を含む理想的な上側レイヤ信号を復号上側レイヤ信号から生成し、これらをレイヤード同相信号およびレイヤード直角位相信号からそれぞれ減算して、下側信号レイヤの下側レイヤ同相信号および下側レイヤ直角位相信号を生成する。レイヤード同相信号およびレイヤード直角位相信号を遅延させ、減算を同期させることができる。レイヤード同相信号およびレイヤード直角位相信号を遅延させることは、適切な遅延を決定するために、復調上側レイヤ信号を理想的な上側レイヤ信号と相関させることによって行われてもよい。
【００１６】
下側レイヤ信号が減算によって生成された後、プロセッサはさらに、下側レイヤ同相信号および下側レイヤ直角位相信号を復調し、これらの信号から下側レイヤ信号を復号して、ビデオトランスポート用の下側レイヤ信号を生成する。その際には、プロセッサは、下側レイヤ同相信号および下側レイヤ直角位相信号を整合フィルタリングさせることができる。
【００１７】
他の実施形態では、理想的な上側レイヤ信号を発生させることは拡張された信号処理を含んでもよい。例えば、プロセッサは理想的な同相上側レイヤ信号および理想的な直角位相上側レイヤ信号に信号マップを適用してもよい。この信号マップは、レイヤード信号の送信歪みに対処する。信号処理は、理想的な同相上側レイヤ信号および理想的な直角位相上側レイヤ信号のパルス形成も含んでいてよい。信号処理は、理想的な同相上側レイヤ信号および理想的な直角位相上側レイヤ信号を、レイヤード同相信号およびレイヤード直角位相信号のそれぞれと振幅および位相整合させることも含んでいてよい。
【００１８】
【発明の実施の形態】
全体を通して同一の参照番号が対応する部分を表す図面を参照する。
【００１９】
以下の記述において、この記述の一部をなし、図示によって本発明のいくつかの実施形態を示す添付の図面が参照される。本発明の範囲からはずれることなく、他の実施形態が利用され、構成上の変更がなされてもよいことが理解される。
【００２０】
１．概論
本発明は、従来型のマルチレイヤ受信機を利用した非コヒーレントなレイヤード変調信号の受信を提供する。信号レイヤは独立して変調および符号化されてもよい。レイヤード信号は高速ディジタイザに送られ、デジタル処理用に準備される。デジタル化されたレイヤード信号を処理することにより、別個のレイヤ信号が発生する。この信号は、ビデオ信号に変換するために別々のトランスポートに提示することができる。
【００２１】
２．レイヤード信号
図１乃至図３は、レイヤード変調送信における信号レイヤの基本的な関係を示している。図１は、信号地点、すなわちシンボル１０２を示す送信信号の上側レイヤ信号の配置１００を示している。図２は、上側レイヤ信号の配置１００に対するシンボル１０４の下側レイヤ信号の配置を示しており、これらのレイヤはコヒーレントである。図３は、上側レイヤの配置に対する第２の送信レイヤの下側信号レイヤ１０６を示しており、これらのレイヤは非コヒーレントであってもよい。非コヒーレント送信における２つのレイヤの相対的な変調周波数により、下側レイヤ１０６は上側レイヤの配置１０２を中心にローテートする。経路１０８により説明されるように、上側レイヤ変調周波数により、上側レイヤと下側レイヤの両方が原点を中心にローテートする。
【００２２】
図４乃至図６は、上側レイヤ復調後の、上側送信レイヤに対する下側送信レイヤの信号の配置を示している。図４は、上側搬送波回復ループ（ＣＲＬ）前の配置２００を示し、図５は、ＣＲＬ後の配置２０４を示す。この場合、下側レイヤの信号地点はリング２０２である。図６は、ノード１０２に関する受信信号の位相分布を示している。上述のように、相対的な変調周波数によって、下側レイヤの配置は上側レイヤの配置のノードを中心にローテートする。下側レイヤのＣＲＬの後、このローテーションは不要となる。下側レイヤの配置の半径は、その電力レベルによって決定される。リング２０２の厚みは下側レイヤの搬送波対雑音比（ＣＮＲ）によって決定される。
【００２３】
図７は、レイヤード信号を送受信する一般的なシステム３００のブロック図であり、このレイヤード信号の少なくとも１つは従来型信号である。別々の送信機３１６Ａ、３１６Ｂが、衛星３０６Ａ、３０６Ｂのような任意の適切なプラットフォーム上に配置されていてよく、これらは本発明の信号の異なるレイヤを非コヒーレントに送信するために使用される。それらは同一のプラットフォーム上に存在していてもよい。アップリンク信号は一般的に、１つ以上の送信ステーション３０４からアンテナ３０２を介して各衛星３０６Ａ、３０６Ｂに送信される。レイヤード信号３０８Ａ、３０８Ｂ（ダウンリンク信号）は、衛星用ディッシュのような受信アンテナ３１２、３２０で受信され、これらのアンテナのそれぞれは低雑音ブロック（ＬＮＢ）３１０，３１８を持つ。これらは一体型受信／復号器（ＩＲＤ）３１４，３２２に結合されている。
【００２４】
ＩＲＤ３２２の１つは、レイヤード信号３０８Ａ、３０８Ｂの上側レイヤを識別するだけの従来型装置である。この装置は、上側レイヤを復調および復号し、下側レイヤは雑音として無視する。他方のＩＲＤ３１４は、以下で詳しく説明される一体型レイヤード変調復号器によって、レイヤード信号３０８Ａ、３０８Ｂの両方のレイヤを復調し、かつ復号することができる。以下に説明する受信機システムで詳細に説明するように、アンテナ３１２，３２０がそれぞれ１つより多い指向性受信用ディッシュを具備して、レイヤード信号３０８Ａ、３０８Ｂを別々の衛星から受信することができる点に留意すべきである。
【００２５】
信号レイヤは非コヒーレントに送信されてもよいので、異なる衛星３０６Ａ，３０６Ｂ、あるいは、地上ベースまたは高々度プラットフォームのような他の適切なプラットフォームを使用して、別個の送信レイヤをいつでも追加することができる。したがって、新規追加信号レイヤを含む任意の合成信号は、新規信号レイヤを無視する従来受信機と後方互換性を持つ。信号が確実に識別されるために、下側レイヤの合成された信号および雑音レベルは、上側レイヤに許容される雑音フロアーと同じか、それより低くなければならない。ここで説明されている本発明を採用する代替受信機システムは、２つより多い信号レイヤを有する信号を復号するよう構成されてもよい。
【００２６】
３．受信機システム
図８は、本発明の方法をテストする受信構造のブロック図である。エミュレートされたレイヤード信号４００Ａ、４００Ｂは、受信用ディッシュ４０２Ａ、４０２Ｂによって受信される（代替的に１つのＬＮＢを持つ１つのディッシュで結合されてもよい）。信号４００Ａ、４００Ｂは、それぞれ異なる送信機によって、別々の衛星から送信されてもよいが、これらは、例えば１２．５ＧＨｚのような干渉周波数帯域に存在している。受信レイヤード信号４００Ａ、４００Ｂは各々の低雑音ブロック（ＬＮＢ）４０４Ａ、４０４Ｂおよび減衰器４０６Ａ、４０６Ｂを介して誘導される。ＬＮＢ４０４Ａ、４０４Ｂは、受信レイヤード信号４００Ａ、４００Ｂのそれぞれを、例えば９５０ＭＨｚ〜１４５０ＭＨｚのような中間周波数範囲に変換する。レイヤード信号は加算ブロック４０８で、減衰器４０６Ａ、４０６Ｂによって調整された相対電力レベルによって合成される。
【００２７】
加算ブロック４０８までのレイヤード信号の受信に関する詳細は、本発明の動作に重要なものではなく、１つの例としてのみ示されているものであることに留意しなければならない。さまざまな設計が可能である。例えば、上述のように、レイヤード信号４００Ａ、４００Ｂの両方に対して同一の受信用ディッシュが使用されてもよい。同一の入力において提供された２つの許容可能な干渉レイヤード信号を得ることのみが、本発明が機能するために求められる。
【００２８】
合成されたレイヤード信号４００Ａ、４００Ｂは、本発明のレイヤード変調復号器４１０に入力される。復号器はレイヤード信号４００Ａ、４００Ｂを処理して、各レイヤに１つずつ２つの異なる信号に分離する。さらに処理して別々のビデオ信号を生成するため、別々の信号がそれぞれ別々のトランスポート４１２Ａ、４１２Ｂ（例えば、ＭＰＥＧ復号器）に入力される。ビデオ信号は表示装置４１４Ａ、４１４Ｂへ伝送される。もちろん、代替構造は、トランスポート４１２Ａ、４１２Ｂ間で切り換えられる単一の表示装置４１４を採用してもよい。同様に、レイヤード変調復号器４１０の２つの信号レイヤ出力間で切り換えられる、単一のトランスポート４１２を採用してもよい。レイヤード変調復号器４１０およびビデオトランスポート４１２Ａ、４１２Ｂは全て、レイヤード信号の両方を受信して復号するために独立型ＩＲＤ３１４の一部として組み合わされてもよい。
【００２９】
４．レイヤード変調復号器
図９は、本発明のレイヤード変調復号器４１０のブロック図である。レイヤード変調復号器４１０は、前述したように到来レイヤード信号の両方のレイヤを復号して、各レイヤに対して別々の信号を生じさせる。
【００３０】
到来レイヤード信号は同調器５００によってまず同調されて、ベースバンド同相（Ｉ）信号および直角位相（Ｑ）信号に変換される。個々の信号は、デジタル化に備えてローパスフィルタ５０２によってフィルタリングされてもよい。その後信号は、高サンプリングレートかつ十分な分解能で、アナログデジタル変換器（ＡＤＣ）５０４によってデジタル化される。デュアルチャネルＡＤＣ５０４または別々のＡＤＣが、個別の同相信号および直角位相信号のために使用されてもよい。その後デジタル化信号はプロセッサ５０６に伝送される。
【００３１】
下側レイヤ信号を取り出すプロセッサ５０６は、論理回路として構成されてもよい。入来するデジタル化同相信号および直角位相信号はまず２つの経路に分割される。上側レイヤ用の信号経路上で、同相信号および直角位相信号は、まず周波数捕捉ループ５０８を経由して送られる。その後この信号は、有限インパルス応答（ＦＩＲ）整合フィルタ５１０によってフィルタリングされてもよい。復調器５１２は、搬送波およびタイミング回復ループを用いて信号を復調し、復調されたレイヤード同相信号および直角位相信号を生成する。その後、復調信号は復号器５１４によって復号され、この復号器５１４は、ビタビ復号、デインタリーブ、およびリード−ソロモン（ＲＳ）復号機能を適宜組み込んで、上側レイヤシンボルを正確に決定する。その後、復号された上側レイヤシンボル信号はプロセッサ５０６から出力されてもよく、トランスポート４１２Ａに伝送され、続いてビデオに変換される。
【００３２】
再びプロセッサ５１６で、復号上側レイヤシンボル信号は、理想的な上側レイヤ信号（すなわち、下側レイヤ信号の雑音および干渉なく送信される上側レイヤ信号）を生成するために、符号器５１６に加えられる。符号化された信号は、同相信号および直角位相信号の成分として再び生成される。理想的な上側レイヤを生成するために、これらの信号に対してさまざまな信号処理技術が利用されてもよい。
【００３３】
理想的な上側レイヤ信号はＦＩＲ整合フィルタ５１８によりフィルタリングされてもよい。送信の特性（増幅器の非線形性など）が信号マップ５２０によって対処されてもよく、このマップには、振幅変調対振幅変調（ＡＭ／ＡＭ）マップおよび／または振幅変調対位相変調（ＡＭ／ＰＭ）マップ等がある。これらの信号マップ５２０は符号化された信号に適用され（５２２）、上側レイヤ信号のダウンリンク送信をシミュレートする。これらの信号マップ５２０は、衛星の送信特性の変化に対処するために更新されてもよい。同様に、（信号マップを適用することにより（５２２））送信特性が対処された後、パルス形成機能５２６（一例はＦＩＲ整合フィルタである）もまた適用されてもよい。さらに、上側レイヤの振幅および位相整合機能５２８は、復調レイヤード信号および理想的な復元上側信号によって駆動されており、整合係数を発生させるためにも利用することができる。整合係数は復元上側レイヤ信号に適用され（５２４）、最後に信号を減算する際に最大に消去されるように、レイヤード信号と比較して復元上側レイヤ信号が適切に大きさが調整され、かつ位相がローテートされることを確実にする。
【００３４】
最後に、上側信号用の理想的な復元された同相信号および直角位相信号は、減算器５３８において、復調器により生成されたレイヤード同相信号およびレイヤード直角位相信号から減算される。タイミングおよび位相補償機能５３２は、復調器５１２からの情報を利用して、プロセッサ５０６に入る第２のレイヤード経路に適用される。固定された遅延５３４を第２のレイヤード信号経路に加えて、適切な遅延を決定し、レイヤード信号と理想的な信号とを整列して整合係数５２８を発生させてもよい。遅延レイヤード信号は分配され、１つの経路では、整合係数５２８を発生する前にＦＩＲ整合フィルタ５３０がその信号に適用されてもよい。第２の遅延レイヤード信号経路は再び遅延され（５３６）、減算５３８のために理想的な上側レイヤ信号と適切に整列される。減算の結果として、下側レイヤの同相信号および直角位相信号が発生する。
【００３５】
下側レイヤの同相信号および直角位相信号は、トランスポート４１２Ｂがビデオに変換するために適切な信号フォーマットに変換される。下側レイヤ信号は、周波数捕捉５４０で処理され、デジタルフィルタ５４２（例えば、ＦＩＲ整合フィルタ）がこの信号を処理してもよい。その後信号は復調器５４４で復調され、この場合下側搬送波が除去される。最後に、復調された同相信号および直角位相信号は復号器５４６によって適切に復号され、ビデオトランスポート４１２と互換性を持つ信号が生成される。
【００３６】
図１０は、本発明にしたがったレイヤード変調復号の方法を示す。ブロック６００で、レイヤード信号が受信され、さらにレイヤード同相信号およびレイヤード直角位相信号がこれより生成される。ブロック６０２で、レイヤード同相信号およびレイヤード直角位相信号がデジタル化される。最後に、ブロック６０４で、デジタル化されたレイヤード同相信号とレイヤード直角位相信号が復号され、１つ以上の別々のレイヤ信号が生成される。レイヤード同相信号およびレイヤード直角位相信号が復調され、これらの信号から上側レイヤ信号が復号されて、前記１つ以上の別々のレイヤ信号のうち上側の信号が生成される。理想的な同相上側レイヤ信号および理想的な直角位相上側レイヤ信号を含む理想的な上側レイヤ信号は、復号された上側レイヤ信号から生成され、レイヤード同相信号およびレイヤード直角位相信号からそれぞれ減算されて、前記１つ以上の別々のレイヤ信号のうち下側の信号の下側レイヤ同相信号および下側レイヤ直角位相信号が生成される。レイヤード同相信号およびレイヤード直角位相信号は遅延され、減算を同期させる。信号を遅延させることは、レイヤード同相信号およびレイヤード直角位相信号を、理想的な同相上側レイヤ信号および理想的な直角位相上側レイヤ信号と相関させることを含む。
【００３７】
おわりに
本発明の好ましい実施形態を含む以上の記述は、例示および説明の目的で提示されたものである。開示されている正確な形態で尽くされていることを意図するものでも、あるいは本発明をこの正確な形態に限定することを意図するものでもない。上述の教示に関してさまざまな修正および変更が可能である。本発明の範囲はこの詳細な説明によって限定されるのではなく、むしろここに添付されたクレームによって限定されるよう意図される。上記の詳細な説明、例、およびデータは、本発明の製造および使用の完全な説明を提供する。本発明の範囲から逸脱することなく本発明の多くの実施形態がなされるため、本発明は以下に付されたクレーム中に存在する。
【図面の簡単な説明】
【図１】図１は、レイヤード変調送信における信号レイヤの関係を示す。
【図２】図２は、レイヤード変調送信における信号レイヤの関係を示す。
【図３】図３は、レイヤード変調送信における信号レイヤの関係を示す。
【図４】図４は、第１の送信レイヤに対する非コヒーレントな第２の送信レイヤの信号の配置を示す。
【図５】図５は、第１の送信レイヤに対する非コヒーレントな第２の送信レイヤの信号の配置を示す。
【図６】図６は、第１の送信レイヤに対する非コヒーレントな第２の送信レイヤの信号の配置を示す。
【図７】図７は、本発明の受信機に対する一般的な送信システムに関するブロック図である。
【図８】図８は、本発明の受信構造のブロック図である。
【図９】図９は、本発明のレイヤード変調復号器のブロック図である。
【図１０】図１０は、本発明にしたがったレイヤード変調復号の方法である。
【図１】
2004040761.tif 000003
【図２】
2004040761.tif 000004
【図３】
2004040761.tif 000005
【図４】
2004040761.tif 000006
【図５】
2004040761.tif 000007
【図６】
2004040761.tif 000008
【図７】
2004040761.tif 000009
【図８】
2004040761.tif 000010
【図９】
2004040761.tif 000011
【図１０】
2004040761.tif 000012
【外国語明細書】
2004040761.tif 000013
2004040761.tif 000014
2004040761.tif 000015
2004040761.tif 000016
2004040761.tif 000017
2004040761.tif 000018
2004040761.tif 000019
2004040761.tif 000020
2004040761.tif 000021
2004040761.tif 000022
2004040761.tif 000023
2004040761.tif 000024
2004040761.tif 000025
2004040761.tif 000026
2004040761.tif 000027
2004040761.tif 000028
2004040761.tif 000029
2004040761.tif 000030
2004040761.tif 000031
2004040761.tif 000032
2004040761.tif 000033
2004040761.tif 000034
2004040761.tif 000035
2004040761.tif 000036